(57)【要約】【課題】  適正な（希望する）露出量を速やかに設定できるようにして、実際の撮影におけるシャッタチャンスを逃すことなく最適な撮影を行えるようにする。【解決手段】  測光に係わる測定情報（ＢＶ，ＡＶ）と露出に係わる設定情報（ＴＶ，ＳＶ）から適正露出量に対する偏差情報を求めて表示するカメラの表示装置１を構成するに際して、適正露出量であることを表示する適正表示部２と、偏差情報の大きさを数値Ｎ…により表示するとともに、数値Ｎ…を、適正表示部２から当該数値Ｎ…の大きさに対応した間隔Ｌ…だけ離れた位置に選択的に表示する偏差表示部３とを備える。【選択図】  図１
2007233115.tif 000002
【特許請求の範囲】
【請求項１】
測光に係わる測定情報と露出に係わる設定情報から適正露出量に対する偏差情報を求めて表示するカメラの表示装置において、前記適正露出量であることを表示する適正表示部と、前記偏差情報の大きさを数値により表示するとともに、前記数値を、前記適正表示部から前記数値の大きさに対応した間隔だけ離れた位置に選択的に表示する偏差表示部とを備えることを特徴とするカメラの表示装置。
【請求項２】
前記偏差情報が前記適正露出量の範囲にあるときに、前記適正表示部のみを点灯させる適正表示モードを備えることを特徴とする請求項１記載のカメラの表示装置。
【請求項３】
前記偏差情報が前記適正露出量の範囲を越えたときに、前記偏差表示部の対応する数値を選択して点灯させ、かつ前記適正表示部を点滅させる不適正表示モードを備えることを特徴とする請求項１又は２記載のカメラの表示装置。
【請求項４】
前記偏差情報が、表示される数値の最大値の範囲又は最小値の範囲を越えたときに、前記最大値又は前記最小値に係わる数値を点滅させるアラーム表示モードを備えることを特徴とする請求項１，２又は３記載のカメラの表示装置。
【請求項５】
前記適正表示部及び前記偏差表示部は、ＬＥＤを利用した表示セグメントによりファインダ内に表示することを特徴とする請求項１記載のカメラの表示装置。
【発明の詳細な説明】
【技術分野】
【０００１】
本発明は、測光に係わる測定情報と露出に係わる設定情報から適正露出量に対する偏差情報を求めて表示するカメラの表示装置に関する。
【背景技術】
【０００２】
一般に、カメラの露出を設定するモードには、適正露出量を自動で設定する自動モードと撮影者がマニュアル操作により設定する手動モードがある。特に、手動モードは、撮影シーンに合った露出を微妙に設定できることからプロカメラマンや写真マニアなどで使用される場合が多い。
【０００３】
また、手動モードにより露出を設定するに際して、撮影者の利便性に供するため、適正露出量に対する偏差情報を表示する表示装置を備えたカメラも知られており、例えば、特開平７−３３３７０６号公報には、手動露出モードと自動露出モードを備え、ファインダ内に測光手段から得られる複数の露出表示を有するカメラであって、複数の露出表示は、発光ダイオードからなり、そのうちの少なくとも一つの露出表示を測光手段の測定値に基づいて異なる周期で点滅させることにより、オーバ露出表示，適正露出表示，アンダ露出表示を行うようにしたカメラにおける露出情報表示方法が開示され、また、特開平８−２４８４９９号公報には、表示セグメントの色が変更可能な表示部材を持ち、表示部材には複数のドットセグメントからなるバー表示が含まれ、マニュアル露出が可能で、適正露出に対して設定されているＡＶ値，ＴＶ値による露出値との偏差が検出可能で、その偏差値が当該表示バーに表示可能な表示装置であって、表示バーの色をその偏差値により変えるようにしたカメラの表示装置が開示されている。
【特許文献１】特開平７−３３３７０６号
【特許文献２】特開平８−２４８４９９号
【発明の開示】
【発明が解決しようとする課題】
【０００４】
しかし、上述した従来のカメラにおける表示装置（表示方法）は、次のような問題点があった。
【０００５】
即ち、従来の表示装置は、上述した前者の公報に開示されるように、ビギナなどの使いやすさを考慮して表示要素を少なくし、各表示要素の表示態様を異ならせることにより表示を簡略化したものと、後者の公報に開示されるように、ベテランなどの要求に応え得るように、バー表示などのメータ式に表示し、表示を詳細化したものがあるが、表示の簡略化と詳細化はそれぞれ一長一短がある。例えば、表示の簡略化は、使いやすい反面、情報を詳細に知るには限界があるとともに、表示の詳細化は、情報を詳細に知ることができる反面、使いにくく、かつ表示スペースも広くなるなど、表示の簡略化と詳細化は相反する問題を包含し、双方の利点を同時に確保することは容易でない。
【０００６】
一方、実際の撮影に際しては、シャッタチャンスを逃さないように、できるだけ速やかに適正な（希望する）露出量を設定する必要があり、この種の表示装置には、撮影者により、設定時に必要な情報を正確かつ迅速に読取れる表示が要求される。いわば上述した表示の簡略化と詳細化の双方の利点が得られる表示が理想的であるが、従来の表示装置は、このような要求に応えられないのが実情であり、結局、設定時の操作を速やかに行うには限界があった。
【０００７】
本発明は、このような背景技術に存在する課題を解決したカメラの表示装置の提供を目的とするものである。
【課題を解決するための手段】
【０００８】
本発明は、上述した課題を解決するため、測光に係わる測定情報（ＢＶ，ＡＶ）と露出に係わる設定情報（ＴＶ，ＳＶ）から適正露出量に対する偏差情報を求めて表示するカメラの表示装置１を構成するに際して、適正露出量であることを表示する適正表示部２と、偏差情報の大きさを数値Ｎ…により表示するとともに、数値Ｎ…を、適正表示部２から当該数値Ｎ…の大きさに対応した間隔Ｌ…だけ離れた位置に選択的に表示する偏差表示部３とを備えることを特徴とする。
【０００９】
この場合、発明の好適な態様により、偏差情報が適正露出量の範囲にあるときに、適正表示部２のみを点灯させる適正表示モードＭｓを設けることができるとともに、偏差情報が適正露出量の範囲を越えたときに、偏差表示部３の対応する数値Ｎ…を選択して点灯させ、かつ適正表示部２を点滅させる不適正表示モードＭｍを設けることができる。また、偏差情報が、表示される数値Ｎ…の最大値Ｎｕの範囲又は最小値Ｎｄの範囲を越えたときに、最大値Ｎｕ又は最小値Ｎｄに係わる数値Ｎを点滅させるアラーム表示モードＭａを設けることができる。なお、適正表示部２及び偏差表示部３は、ＬＥＤ４…を利用した表示セグメントによりファインダ５内に表示することができる。
【発明の効果】
【００１０】
このような構成を有する本発明に係るカメラの表示装置１によれば、次のような顕著な効果を奏する。
【００１１】
（１）  適正露出量であることを表示する適正表示部２と、偏差情報の大きさを数値Ｎ…により表示するとともに、数値Ｎ…を、適正表示部２から当該数値Ｎ…の大きさに対応した間隔Ｌ…だけ離れた位置に選択的に表示する偏差表示部３とを設けたため、この種の表示装置に要求される表示の簡略化と詳細化の双方の利点、換言すれば、数値Ｎ…によるデジタル表示と異なる位置（間隔Ｌ…）によるアナログ表示の双方の利点を享受できる。したがって、適正な（希望する）露出量を速やかに設定することが可能となり、実際の撮影においてシャッタチャンスを逃すことなく最適な撮影を行うことができる。
【００１２】
（２）  好適な態様により、偏差情報が適正露出量の範囲にあるときに、適正表示部２のみを点灯させる適正表示モードＭｓを設ければ、適正露出量が確保されたときの表示は、一点表示のみとなるため、適正露出量が確保されていることを明確に認識できるとともに、表示スペースを最小限に留めることができる。
【００１３】
（３）  好適な態様により、偏差情報が適正露出量の範囲を越えたときに、偏差表示部３の対応する数値Ｎ…を選択して点灯させ、かつ適正表示部２を点滅させる不適正表示モードＭｍを設ければ、数値Ｎ…により正確な偏差情報を直ちに把握することができる。しかも、適正表示部２の点滅により適正露出量が確保されていないことを把握できるとともに、数値Ｎ…の位置、即ち、適正表示部２と数値Ｎ…の間隔Ｌ…の大きさにより感覚的にも容易に把握できる。
【００１４】
（４）  好適な態様により、偏差情報が、表示される数値Ｎ…の最大値Ｎｕの範囲又は最小値Ｎｄの範囲を越えたときに、最大値Ｎｕ又は最小値Ｎｄに係わる数値Ｎを点滅させるアラーム表示モードＭａを設ければ、偏差情報が最大値Ｎｕ又は最小値Ｎｄを越えていることを容易に把握することができる。
【００１５】
（５）  好適な態様により、適正表示部２及び偏差表示部３を、ＬＥＤ４…を利用した表示セグメントによりファインダ５内に表示すれば、カラー液晶表示パネル等を使用することなく表示が可能となるなど、コスト性及び汎用性の向上に寄与できる。
【発明を実施するための最良の形態】
【００１６】
次に、本発明に係る最良の実施形態を挙げ、図面に基づき詳細に説明する。
【００１７】
まず、本実施形態に係るカメラの表示装置１の構成について、図１〜図３を参照して説明する。
【００１８】
図３は、表示装置１をブロック回路により示したものである。表示装置１において、１１はマイクロコンピュータ（マイコン）であり、ＢＶを被写体輝度、ＡＶをレンズの絞り量、ＴＶをシャッタスピード、ＳＶをフィルム感度とした場合、（ＢＶ−ＡＶ）−（ＴＶ−ＳＶ）の演算を行う偏差演算機能Ｆａを有するとともに、この偏差演算機能Ｆａの演算結果に基づいて表示態様（出力態様）を判断する判断機能Ｆｂを有する。このため、マイコン１１には、各機能Ｆａ及びＦｂを実現するための処理プログラムが不図示の内部メモリに格納している。一般に、露出値をＥＶとすれば、ＥＶ＝ＢＶ＋ＳＶ＝ＡＶ＋ＴＶの関係式が成立することが知られており、カメラが、ＢＶ＋ＳＶ＝ＡＶ＋ＴＶの関係を満足していれば、計算上の適正露出量となる。マイコン１１は、この（ＢＶ−ＡＶ）−（ＴＶ−ＳＶ）を演算するものであり、判断機能Ｆｂからの出力は、適正露出量に対する偏差情報となる。
【００１９】
また、１２はレンズ絞り、１３は測光センサ、１４は測光回路をそれぞれ示す。例示は、実絞り測光方式を採用し、被写体輝度ＢＶは、絞り量ＡＶが設定されたレンズ絞り１２を通過して測光センサ１３により測定されるとともに、この測光センサ１３の出力信号は、Ａ／Ｄ変換処理等の信号処理を行う測光回路１４を介してマイコン１１に付与される。このような実絞り測光方式を用いた場合、測光回路１４の出力には、実質的に上述した（ＢＶ−ＡＶ）を得ることができ、この（ＢＶ−ＡＶ）に係わるデータがマイコン１１の偏差演算機能Ｆａに付与される。なお、被写体輝度ＢＶを直接測光センサ１３により測定する開放測光方式を採用する場合には、ＢＶ及びＡＶをそれぞれマイコン１１に付与すればよい。これにより、マイコン１１におけるＢＶ−ＡＶ演算機能Ｆｘにより（ＢＶ−ＡＶ）を演算し、この演算結果を偏差演算機能Ｆａに付与することができる。
【００２０】
さらに、１５はシャッタスピード設定ダイヤル、１６はフィルム感度設定ダイヤルを示す。例示は、シャッタスピード設定ダイヤル１５の設定により得られるＴＶとフィルム感度設定ダイヤル１６の設定により得られるＳＶを、マイコン１１に付与する前に、上述した（ＴＶ−ＳＶ）が得られる回路構成を採用している。これにより、マイコン１１までの信号線を減らすことができる。（ＴＶ−ＳＶ）に係わるデータはマイコン１１の偏差演算機能Ｆａに付与される。なお、ＴＶとＳＶをそれぞれマイコン１１に付与する場合には、マイコン１１におけるＴＶ−ＳＶ演算機能Ｆｙにより（ＴＶ−ＳＶ）を演算し、この演算結果を偏差演算機能Ｆａに付与することができる。その他、１７は、表示開始スイッチであり、不図示のレリーズボタンの半押でＯＮ（開始側）となる。
【００２１】
一方、２１は表示部であり、九個のＬＥＤ（発光ダイオード）４…を備えている。図１は、カメラの背面に設けた接眼窓から見たファインダ５内を示すとともに、図２は、ファインダ５の下側に赤色で表示される九つの表示セグメントを示す。各表示セグメントは、中央に配した丸形マークにより表示する適正表示部２と、この適正表示部２の右側へ順次数値Ｎ…により表示する右側偏差表示部３ｐと、適正表示部２の左側へ順次数値Ｎ…により表示する左側偏差表示部３ｑを備え、右側偏差表示部３ｐと左側偏差表示部３ｑが偏差表示部３を構成する。この場合、右側偏差表示部３ｐは、適正表示部２側から右方向へ順次「＋０．５」，「＋１」，「＋１．５」，「＋２」を表示、即ち、オーバ露出に係わる偏差情報を表示し、左側偏差表示部３ｑは、適正表示部２側から左方向へ順次「−０．５」，「−１」，「−１．５」，「−２」を表示、即ち、アンダ露出に係わる偏差情報を表示する。
【００２２】
このように、九個のＬＥＤ４…により、各表示セグメントが表示されるため、各ＬＥＤ４…を点灯又は消灯させることにより、各数値Ｎ…を選択的に表示（点灯）させることができるとともに、点滅表示させることができる。図１は、後述する不適正表示モードＭｍにより、適正表示部２と「＋１．５」を表示させた状態を示す。この場合、適正表示部２は点滅、「＋１．５」は点灯である。これにより、各数値Ｎ…は、適正表示部２から当該数値Ｎ…の大きさに対応した間隔Ｌ…だけ離れた位置に選択的に表示される。適正表示部２及び偏差表示部３を、ＬＥＤ４…を利用した表示セグメントによりファインダ５内に表示するため、カラー液晶表示パネル等を使用することなく表示が可能となるなど、コスト性及び汎用性の向上に寄与できる利点がある。
【００２３】
なお、２２は音出力部、２３は音出力部２２の出力有無を切換えるＯＮ−ＯＦＦスイッチを示す。音出力部２２は、基本的に、表示部２１における後述する各表示モードＭａ…に対応した異なる音色による音（チャイム）を出力する。したがって、ファインダ５を見ることができない状態で撮影する際には、ＯＮ−ＯＦＦスイッチ２３を切換え、音を出力させることにより容易に適正露出量を設定できる。
【００２４】
次に、本実施形態に係る表示装置１の動作について、図１〜図５を参照しつつ図６に示すフローチャートに従って説明する。
【００２５】
最初に、カメラの電源スイッチをＯＮにする（ステップＳ１）。これにより、初期化処理が行われ、ＬＥＤ４…は全て消灯した状態となる（ステップＳ２）。この後、撮影者は撮影しようとする被写体にカメラを向け、レリーズボタンを半押する（ステップＳ３）。これにより、表示開始スイッチ１７がＯＮ（開始側）になり、偏差情報に係わる表示処理が行われる。
【００２６】
表示処理においては、まず、被写体の被写体輝度ＢＶがカメラレンズに入光することにより、絞り量ＡＶが設定されたレンズ絞り１２を通過し、測光センサ１３により測定されるとともに、測光センサ１３の出力信号は、測光回路１２に付与され、Ａ／Ｄ変換処理等の信号処理が行われた後、マイコン１１に付与される。前述のように、本実施形態では実絞り測光方式を採用するため、測光回路１２の出力は、実質的に（ＢＶ−ＡＶ）となり、この（ＢＶ−ＡＶ）に係わるデータが偏差演算機能Ｆａに付与される（ステップＳ４）。また、シャッタスピード設定ダイヤル１５により設定されているＴＶ及びフィルム感度設定ダイヤル１６により設定されているＳＶにより、マイコン１１に入力する前に（ＴＶ−ＳＶ）が得られるため、この（ＴＶ−ＳＶ）に係わるデータが偏差演算機能Ｆａに付与される（ステップＳ５）。
【００２７】
これにより、偏差演算機能Ｆａには、（ＢＶ−ＡＶ）と（ＴＶ−ＳＶ）が付与されるため、偏差演算機能Ｆａにより、（ＢＶ−ＡＶ）−（ＴＶ−ＳＶ）の演算処理が行われる（ステップＳ６）。そして、偏差演算機能Ｆａから出力する（ＢＶ−ＡＶ）−（ＴＶ−ＳＶ）の演算結果は、判断機能Ｆｂに付与され、この判断機能Ｆｂにより、（ＢＶ−ＡＶ）−（ＴＶ−ＳＶ）の演算結果に基づく表示態様（表示モード）が判断される。判断機能Ｆｂによる判断結果は、表示部１２に付与され、対応する表示態様による偏差情報が表示部１２により表示される（ステップＳ７，Ｓ８）。
【００２８】
この表示態様（表示モード）について具体的に説明する。図４に、演算結果（偏差）と表示態様の関係を示す。基本的な表示態様は、適正表示モードＭｓ，不適正表示モードＭｍ及びアラーム表示モードＭａに分けられる。
【００２９】
適正表示モードＭｓは、演算結果（偏差）が適正露出量の範囲にあるときの表示モードであり、適正表示部２のみを点灯させる表示を行う。適正露出量の範囲とは、図４に示すように、偏差が、適正露出量に対して−０．２５を超え、かつ＋０．２５以内の範囲である。このときの表示態様を図５に示す。このように、偏差（偏差情報）が適正露出量の範囲にあるときは、適正表示部２のみを点灯させるため、一点表示のみとなり、適正露出量が確保されていることを明確に認識できるとともに、表示スペースを最小限に留めることができる利点がある。
【００３０】
不適正表示モードＭｍは、演算結果（偏差）が適正露出量の範囲を越えたときの表示モードであり、偏差表示部３における対応する数値Ｎ…を選択して点灯させ、かつ適正表示部２を点滅させる表示を行う。したがって、図４に示すように、例えば、オーバ露出となり、偏差が、適正露出量に対して＋０．２５を超え、かつ＋０．７５以内の範囲にあるときは、適正表示部２を点滅させるとともに、数値Ｎの「＋０．５」を点灯させる。また、偏差が、適正露出量に対して＋０．７５を超え、かつ＋１．２５以内の範囲にあるときは、適正表示部２を点滅させるとともに、数値Ｎの「＋１」を点灯させる。同様に、偏差の大きさに対応して、数値Ｎ…の「−２」〜「＋２」を選択的に点灯させることができる。図１に不適正表示モードＭｍによる表示態様を示す。例示は、適正表示部２を点滅させ、かつ数値Ｎの「＋１．５」を点灯させた状態である。このような不適正表示モードＭｍにより、正確な偏差（偏差情報）を数値Ｎ…により直ちに把握することができる。しかも、適正表示部２の点滅により適正露出量が確保されていないことを把握できるとともに、数値Ｎ…の位置、即ち、適正表示部２と数値Ｎ…の間隔Ｌ…の大きさにより感覚的にも容易に把握できる利点がある。
【００３１】
アラーム表示モードＭａは、偏差が、表示される数値Ｎ…の最大値Ｎｕ（＋２）の範囲又は最小値Ｎｄ（−２）の範囲を越えたときに最大値Ｎｕ又は最小値Ｎｄに係わる数値Ｎである「＋２」又は「−２」を点滅させる表示を行う。この場合、最大値Ｎｕの範囲は、適正露出量に対して＋１．７５を超え、かつ＋２．２５以内の範囲となるため、偏差が＋２．２５を越えた場合には、適正表示部２を点滅させるとともに、数値Ｎの「＋２」を点滅させる。同様に、最小値Ｎｄの範囲は、適正露出量に対して−１．７５を超え、かつ−２．２５以内の範囲となるため、偏差が−２．２５を越えた場合には、適正表示部２を点滅させるとともに、数値Ｎの「−２」を点滅させる。このようなアラーム表示モードＭａにより、偏差（偏差情報）が最大値Ｎｕ又は最小値Ｎｄを越えていることを容易に把握することができる利点がある。
【００３２】
そして、このような表示処理が行われるため、撮影者がファインダ５を見た際に、図５に示すような適正露出量にあれば、レリーズボタンを全押すればよい（ステップＳ９，Ｓ１０）。これにより、シャッタが作動し、適正露出量によって撮影が行われる（ステップＳ１１）。
【００３３】
これに対して、撮影者がファインダ５を見た際に、不適正表示モードＭｍによる表示、例えば、図１に示すような「＋１．５」が表示されている場合には、適正露出量に対する偏差がオーバ露出となる＋１．５であるため、撮影者は、レンズ絞り１２を操作することにより絞り量ＡＶを大きくし、或いはシャッタスピード設定ダイヤル１５を操作することによりシャッタスピードＴＶを大きくする調整操作を行う（ステップＳ９，Ｓ１２）。この調整操作により、適正露出量に対する偏差を小さくし、偏差を適正露出量の範囲に収めることができる（ステップＳ４…Ｓ８）。これにより、図５に示すような適正露出量になったなら、レリーズボタンを全押すればよい（ステップＳ９，Ｓ１０）。
【００３４】
この場合、前述したように、正確な偏差（偏差情報）を数値Ｎ…により直ちに把握することができる。しかも、適正表示部２の点滅により適正露出量が確保されていないことを把握できるとともに、数値Ｎ…の位置、即ち、適正表示部２と数値Ｎ…の間隔Ｌ…の大きさにより感覚的にも容易に把握できる。なお、本実施形態では、偏差の表示ステップを０．５単位に設定しているが、この表示ステップをシャッタスピード設定ダイヤル１５或いはレンズ絞り１２の一クリック分に対応させれば、より迅速な調整操作が可能になり、例えば、偏差が＋１．５の場合、シャッタスピード設定ダイヤル１５を三クリック分操作すればよい。また、適正露出量に設定する場合を説明したが、被写体によっては若干アンダ露出にしたり或いは若干オーバ露出にするなど、適正露出量以外の状態で撮影したい場合もある。この場合には、例えば、希望する「−０．５」の表示がされた状態でレリーズボタンを全押することにより、アンダ露出による撮影を行うことができる。
【００３５】
さらに、撮影者がファインダ５を見た際に、最大値Ｎｕ（＋２）又は最小値Ｎｄ（−２）に係わる数値Ｎが点滅している場合には、最大値Ｎｕ又は最小値Ｎｄを大きく越えているため、撮影者は、レンズ絞り１２とシャッタスピード設定ダイヤル１５の双方を調整操作するなどの対応をとることができる。
【００３６】
このような表示処理を利用して一回目の撮影が終了し、次の撮影を行う場合には、同様の手順で行えばよい（ステップＳ１３，Ｓ２…）。この場合、レリーズボタンの全押により、直前の表示処理はリセットされる（ステップＳ２）。そして、所定の撮影が全て終了したなら、電源スイッチをＯＦＦにする（ステップＳ１３，Ｓ１４）。
【００３７】
よって、本実施形態に係る表示装置１によれば、適正露出量であることを表示する適正表示部２と、偏差情報の大きさを数値Ｎ…により表示するとともに、数値Ｎ…を、適正表示部２から当該数値Ｎ…の大きさに対応した間隔Ｌ…だけ離れた位置に選択的に表示する偏差表示部３とを設けたため、この種の表示装置に要求される表示の簡略化と詳細化の双方の利点、換言すれば、数値Ｎ…によるデジタル表示と異なる位置（間隔Ｌ…）によるアナログ表示の双方の利点を享受できる。したがって、適正な（希望する）露出量を速やかに設定することが可能となり、実際の撮影においてシャッタチャンスを逃すことなく最適な撮影を行うことができる。
【００３８】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００３９】
例えば、偏差情報は、ファインダ５の下側に水平方向に沿って表示する態様を例示したが、ファインダ５の右側に垂直方向に沿って表示するなど、他の表示態様を排除するものではない。また、適正表示部２及び偏差表示部３の表示態様（表示形状）や配色なども任意である。さらに、数値Ｎ…の数は、八つの場合を示したが、この数に限定されるものではない。一方、ＬＥＤ４…により表示する場合を示したがカラー液晶表示パネルなど、他の表示形態を排除するものではない。なお、本発明に係る表示装置１を搭載するカメラの種類は任意であり、例えば、フィルムカメラであってもよいしデジタルカメラであってもよい。また、一眼レフカメラであってもよいし非一眼レフカメラであってもよい。
【図面の簡単な説明】
【００４０】
【図１】本発明の最良の実施形態に係る表示装置により偏差情報を表示する際の表示態様図、
【図２】同表示装置により偏差情報を表示する表示セグメントのパターン図、
【図３】同表示装置のブロック回路図、
【図４】同表示装置により表示する際の偏差に対する表示態様の関係図、
【図５】同表示装置により偏差情報を表示する際の他の表示態様図、
【図６】同表示装置の動作を説明するためのフローチャート、
【符号の説明】
【００４１】
１：表示装置，２：適正表示部，３：偏差表示部，４…：ＬＥＤ，５：ファインダ，Ｎ…：数値，Ｎｕ：最大値，Ｎｄ：最小値，Ｌ…：間隔，ＢＶ：測定情報（被写体輝度），ＡＶ：測定情報（レンズの絞り量），ＴＶ：設定情報（シャッタスピード），ＳＶ：設定情報（フィルム感度），Ｍｓ：適正表示モード，Ｍｍ：不適正表示モード，Ｍａ：アラーム表示モード
【図１】
2007233115.tif 000003
【図２】
2007233115.tif 000004
【図３】
2007233115.tif 000005
【図４】
2007233115.tif 000006
【図５】
2007233115.tif 000007
【図６】
2007233115.tif 000008